(57)【要約】      （修正有）【課題】木質様製品を用いた各種の施設で経時劣化により表面が劣化した木質様製品の表面を簡易に改良することができる木質様製品を用いてなるデッキの表面改良装置を提供する。【解決手段】単位板材１０１ｃに隣接して単位板材１０１ａ，１０１ｂが配設されて形成される間隙１０６ａ，１０６ｂのそれぞれに表面改良装置本体４の後方に対向して取り付けられるガイド部２１ａ，２１ｂが挿入されガイド部２１ａ，２１ｂによって単位板材１０１ａ，１０１ｂ若しくは単位板材１０１ｃの側壁面が付勢された状態とし、これによって表面改良装置の進行方向が単位板材１０１ａ、１０１ｂの側壁面によって規制されるので、デッキ表面の改良を効率よく行うことができる。【選択図】図３
2008307766.tif 000002
【特許請求の範囲】
【請求項１】
相互間に一定のデッキ間隙が形成されて相互に平行に配置された複数の単位板材によって形成されてなる木質様製品を用いてなるデッキの表面改良装置であって、車輪と表面改良サンダーとを備えた表面改良装置本体に複数の単位板材相互間に形成されたデッキ間隙に挿入されるガイド部を取り付けてなることを特徴とする木質様製品を用いてなるデッキの表面改良装置。
【請求項２】
ガイド部の下端位置が単位板材の固定部には干渉しない程度の深さに単位板材相互間に形成されたデッキ間隙に挿入される請求項１に記載の木質様製品を用いてなるデッキの表面改良装置。
【請求項３】
ガイド部が単位板材の側壁面を付勢する様に設けられる請求項１又は請求項２に記載の表面改良装置。
【請求項４】
ガイド部がローラ状とされて回転可能に取り付けられてなり、単位板材側壁面に接触しつつ転動する請求項１乃至請求項３のいずれか一に記載の木質様製品を用いてなるデッキの表面改良装置。
【請求項５】
表面改良サンダーを木質様製品を用いてなるデッキに付勢する付勢機構を備える請求項１記載の木質様製品を用いてなるデッキの表面改良装置。
【請求項６】
付勢機構が車輪の上下高さ調整を行うことで表面改良サンダーの接地面からの高さを調整して木質様製品を用いてなるデッキに表面改良サンダーを付勢する請求項５記載の木質様製品を用いてなるデッキの表面改良装置。
【請求項７】
表面改良サンダーは凹凸面回転ローラである請求項５記載の木質様製品を用いてなるデッキの表面改良装置。
【請求項８】
凹凸面回転ローラがモータ駆動される請求項７記載の木質様製品を用いてなるデッキの表面改良装置。
【請求項９】
表面改良装置本体を載置したフレーム枠の進行方向前後位置に前車輪及び後車輪が取り付けられると共に、フレーム枠下縁にガイド部が形成されて、単位板材が配設されて形成されるデッキ間隙に挿入配置される請求項１記載の木質様製品を用いてなるデッキの表面改良装置。
【請求項１０】
表面改良装置本体である手押しフレームに装着された大プーリと小プーリ間に長尺ベルトサンディングが掛け回されると共にガイド部及び車輪が取り付けられて、単位板材が配設されて形成されるデッキ間隙にガイド部が挿入配置されると共に小プーリと車輪とによってデッキ上に走行可能に支持される請求項１記載の木質様製品を用いてなるデッキの表面改良装置。
【発明の詳細な説明】
【技術分野】
【０００１】
本発明は、木材に近い質感や色を有する木質様製品を用いてなるデッキの表面改良装置に関する。
【背景技術】
【０００２】
近年、森林保護の上からも木材資源の有効利用が望まれている。一方、天然の素材である木材は、不均一であり、さらに、割れたり、反ったりし易いという短所があり、これらの短所を改善して木材の長所を生かすようにする木材改質技術の開発が望まれている。
本出願人は、これらの要求に応えられるものとして、特許文献１に樹脂と木材とからなる複合素材としての木質様製品を提案している。
【０００３】
上記木質様製品は、基本的に、木材の粒状の粉粒（木粉）の表面に、該粉粒より小径の粒材、例えば、酸化チタンの粒材を担持させ、このような木粉と樹脂と顔料や染料等の色材とを混合し、これら木粉と樹脂と色材との混合物を成形したものである。上記木質様製品は、今まで廃棄されていた木材を木粉として用いることにより木質資源の有効利用を図ることができ、かつ、木粉を多く含むことにより木材に近い質感を有するとともに、一般の樹脂と同様の成形性に優れた複合素材となっている。
【０００４】
この様な木質様製品の利便性に鑑み、近時、図８〜図１０に示す木質様製品を用いた各種の施設の構築が進められている。
図８は商業施設の屋上デッキ１００を示し、木質様製品からなる多数の単位板材１０１１０１を平行に配置して、屋上デッキ１００が構成される。
図９はオフィスビルのデッキ１０２を示し、やはり多数の単位板材１０１を平行に配置して構成される。
図１０は一般家屋のガーデンデッキ１０３を示し、やはり多数の単位板材１０１を平行に配置して構成される。
【０００５】
図１１は以上の各種の施設における多数の単位板材１０１の配置態様を示し、相互に平行に配置された単位板材１０１はブロック基礎１０４に固定された１０５によって固定される。
その際、相互に平行に配置して固定された単位板材１０１相互間には予め設定された一定の間隙１０６が形成され、この様に、単位板材１０１相互間に一定の間隙１０６が形成されることによって、各種の施設及び造作における排水が確保される。
【０００６】
【特許文献１】平成８年特許第２５４４３１０号
【発明の開示】
【発明が解決しようとする課題】
【０００７】
以上の図８〜図１０に示す木質様製品を用いた各種の施設では、木質様製品は径時劣化により表面が平滑化して木質の風合いを失うという問題があった。
【０００８】
したがって本発明は以上の従来技術における問題点に鑑み、木質様製品を用いた各種の施設で径時劣化により表面が劣化した木質様製品の表面を簡易に改良することができる木質様製品を用いてなるデッキの表面改良装置を提供することを目的とする。
【課題を解決するための手段】
【０００９】
すなわち本発明の木質様製品を用いてなるデッキの表面改良装置は、相互間に一定のデッキ間隙が形成されて相互に平行に配置された複数の単位板材によって形成されてなる木質様製品を用いてなるデッキの表面改良装置であって、車輪と表面改良サンダーとを備えた表面改良装置本体に複数の単位板材相互間に形成されたデッキ間隙に挿入されるガイド部を取り付けてなることを特徴とする。
【００１０】
ガイド部の下端位置が単位板材の固定部には干渉しない程度の深さに単位板材相互間に形成されたデッキ間隙に挿入されるようにするのが好ましい。
【００１１】
ガイド部が単位板材の側壁面を付勢する様に設けられる様にしてもよい。
【００１２】
ガイド部がローラ状とされて回転可能に取り付けられてなり、単位板材側壁面に接触しつつ転動するようにすることができる。
【００１３】
表面改良サンダーを木質様製品を用いてなるデッキに付勢する付勢機構を備える様にすることができる。
【００１４】
付勢機構が車輪の上下高さ調整を行うことで表面改良サンダーの接地面からの高さを調整して木質様製品を用いてなるデッキに表面改良サンダーを付勢する様にしてもよい。
【００１５】
表面改良サンダーは凹凸面回転ローラとすることができる。
【００１６】
凹凸面回転ローラがモータ駆動される様にしてもよい。
【００１７】
表面改良装置本体を載置したフレーム枠の進行方向前後位置に前車輪及び後車輪が取り付けられると共に、フレーム枠下縁にガイド部が形成されて、単位板材が配設されて形成されるデッキ間隙に挿入配置される様にしてもよい。
【００１８】
表面改良装置本体である手押しフレームに装着された大プーリと小プーリ間に長尺ベルトサンディングが掛け回されると共にガイド部及び車輪が取り付けられて、単位板材が配設されて形成されるデッキ間隙にガイド部が挿入配置されると共に小プーリと車輪とによってデッキ上に走行可能に支持される様にすることができる。
【発明の効果】
【００１９】
本発明の木質様製品を用いてなるデッキの表面改良装置によれば、木質様製品を用いた各種の施設で径時劣化により表面が劣化した木質様製品のデッキ表面を簡易に改良することができる。
【発明を実施するための最良の形態】
【００２０】
以下に本発明の表面改良装置を実施するための最良の形態につき図面を参照して説明する。
図１及び図２に示すように、木質様製品を用いてなるデッキの表面改良を行う本発明の表面改良装置１は、車輪２と表面改良サンダー３を備えた表面改良装置本体４にハンドル５を回動自在に設けて構成してある。
【００２１】
表面改良装置本体４は内部にフレーム６が設けてあり、このフレーム６に車輪２が取付けてある。車輪２としては前車輪２ａと後車輪２ｂとがあり、前車輪２ａは後車輪２ｂよりも大径であって表面改良装置本体４の前部の両側部に設けてある。後車輪２ｂはローラにより構成してあって表面改良装置本体４の後部に設けてある。
【００２２】
表面改良サンダー３はフレーム６に回転自在に取付けられた凹凸面回転ローラ３ａで構成してある。
フレーム６にはモータ７が固定してあり、モータ７に固定した小プーリ８と、フレーム６に回転自在に取付けた中間プーリ９とにベルト１０が掛け回してあり、更に、中間プーリ９と凹凸面回転ローラ３ａの端部に固定した大プーリ１１とにベルト１２が掛け回してあり、モータ７の回転を小プーリ８、ベルト１０、中間プーリ９、大プーリ１１を介して凹凸面回転ローラ３ａに伝達して回転するようになっている。
【００２３】
凹凸面回転ローラ３ａの外周下端は前車輪２ａの外周下端と後車輪２ｂの外周下端とを結ぶ線よりも不使用時にはやや上に位置しており、運転に当たって前車輪２ａの上下高さ調整を行うことで、凹凸面回転ローラ３ａの接地面１３からの高さ、つまり木質様床面の粗面化の程度を調整するようになっている。
なお、前車輪２ａの上下高さ調整を行う具体的な機構については公知のどのような手法を採用しても良く、その説明は省略する。
【００２４】
図８に示すように、表面改良装置本体４の後部の上部にはハンドル５の下端部が回動自在に取付けてある。ハンドル５は、棒状をした一対のアーム部１４の上端を上横バー部１５により連結し、更に、上横バー部１５の両端部上面部にコ字状をしたグリップ部１６の両端部を連結部１６ａで連結し、グリップ部１６にはグリップ部１６に対して上下方向に移動自在にスイッチハンドル１７を重ねて取付け、更に、一対のアーム部１４の上部間（上横バー部１５よりもやや下方位置）にハンドルステー１８を架設して構成してある。上記スイッチハンドル１７はモータ７をオン、オフするためのスイッチ（図示せず）を操作する駆動用操作手段を構成している。
【００２５】
ハンドル５の一対のアーム部１４の下端には軸部１９が設けてあり、表面改良装置本体４の後部の両側上部に設けた軸受け部２０に上記一対のアーム部１４の下端の軸部１９を回動自在に取付けてある。
【００２６】
以上の本実施の形態の表面改良装置１では、表面改良装置本体４の後部に設けてある後車輪２ｂの更に後方にはガイド部２１が取り付けられる。
前述した様に図８〜図１０に示す各種施設のデッキにおいて相互に平行に配置して固定された単位板材１０１相互間には一定の間隙１０６が形成される。
表面改良装置本体４の後方に取り付けられるガイド部２１は、その単位板材１０１相互間に形成される間隙１０６に対応する間隔で、表面改良装置本体４の両側に形成される。
【００２７】
図３は表面改良装置本体４の後方にガイド部２１を取り付ける一態様を示し、この図３に示す態様では、中央の単位板材１０１ｃに隣接して単位板材１０１ａ，ｂが配設されて形成される間隙１０６ａ，ｂのそれぞれに表面改良装置本体４の後方に対向して取り付けられるガイド部２１ａ，ｂが挿入される。その場合に、ガイド部２１ａ，ｂはそれぞれ中央の単位板材１０１ｃから離間する方向に外側方に向けて単位板材１０１ａ，ｂの側壁面を付勢する様に設けられる。
また、ガイド部２１ａ，ｂの下端位置がブロック基礎１０４上の固定金具１０５上端面には干渉しない程度の深さにガイド部２１ａ，ｂは間隙１０６ａ，ｂのそれぞれに挿入配置される。
【００２８】
図４は表面改良装置本体４の後方にガイド部２１を取り付ける別の態様を示し、この図４に示す態様では、中央の単位板材１０１ｃに隣接して単位板材１０１ａ，ｂが配設されて形成される間隙１０６ａ，ｂのそれぞれにガイド部２１ａ，ｂが挿入される場合に、ガイド部２１ａ，ｂはそれぞれ中央の単位板材１０１ｃの両外側壁面を付勢する様に設けられる。
また、この態様でもガイド部２１ａ，ｂの下端位置がブロック基礎１０４上の固定金具１０５上端面には干渉しない程度の深さにガイド部２１ａ，ｂは間隙１０６ａ，ｂのそれぞれに挿入配置される。
【００２９】
以上の本実施の形態の表面改良装置１を用いて各種施設のデッキ表面の改良を行うに当たっては、表面改良装置本体４の後部のハンドル５を把持してスイッチハンドル１７によってモータ７をオン、オフするスイッチを操作することによって凹凸面回転ローラ３ａがデッキ表面に接触した状態で転動させることによって表面改良装置１をデッキ表面上で進行させてデッキ表面に粗面を形成する。
【００３０】
その際、先ず単位板材１０１ｃに隣接して単位板材１０１ａ，ｂが配設されて形成される間隙１０６ａ，ｂのそれぞれに表面改良装置本体４の後方に対向して取り付けられるガイド部２１ａ，ｂが挿入されガイド部２１ａ，ｂによって単位板材１０１ａ，ｂ若しくは単位板材１０１ｃの側壁面が付勢された状態とする。
【００３１】
また、ガイド部２１ａ，ｂの下端位置がブロック基礎１０４上の固定金具１０５上端面には干渉しない程度の深さにガイド部２１ａ，ｂは間隙１０６ａ，ｂのそれぞれに挿入配置される。
以上の様にガイド部２１が単位板材１０１相互間に形成されるデッキ間隙１０６に挿入され、これによって表面改良装置１の進行方向が単位板材１０１の側壁面によって規制されるので、デッキ表面の改良を効率よく行うことができる。
【００３２】
さらに、その状態で、前車輪２ａの上下高さ調整を行うことで、凹凸面回転ローラ３ａの各種施設のデッキ面に対する押圧の程度を調整して、表面改良装置１をデッキ表面上で進行させることによって形成されるデッキ表面の粗面の程度を設定する。
【００３３】
図５は本発明の他の実施の形態の表面改良装置１の構成を示し、この実施の形態では表面改良装置本体４の後方に取り付けられるガイド部２１ａ，ｂがローラ状とされ、表面改良装置本体４に装備されたギヤ機構部２２に回転可能に取り付けられてなる。
したがってこの実施の形態では、単位板材１０１ａ，ｂが配設されて形成される間隙１０６ａ，ｂのそれぞれにガイド部２１ａ，ｂが挿入された状態で、表面改良装置１の進行に伴い、単位板材１０１ａ，ｂ，ｃ側壁面に接触しつつ転動する。
【００３４】
図６は本発明のさらに他の実施の形態の表面改良装置１の構成を示し、本実施の形態ではモータ及び制御部（図示せず）を含む駆動機構部２３が取り付けられた表面改良装置本体４を載置したフレーム枠２４の進行方向前後位置に前車輪２ａ及び後車輪２ｂが取り付けられると共に、フレーム枠２４下縁にフレーム枠２４と一体にガイド部２１ａ，ｂが形成され、単位板材１０１ａ，ｂが配設されて形成される間隙１０６ａ，ｂに挿入配置される。なお、この実施の形態の表面改良装置１はフレーム枠２４の進行方向前後位置に前車輪２ａ及び後車輪２ｂが取り付けられてなり、しかもガイド部２１が単位板材１０１相互間に形成される間隙１０６に挿入され、これによって表面改良装置１の進行方向が単位板材１０１の側壁面によって規制されるので、自走式に構成することができる。
【００３５】
図７は本発明のさらに他の実施の形態の手動式の表面改良装置１の構成を示す。この実施の形態の手動式の表面改良装置１は手押しフレーム２５に装着された大プーリ２６と小プーリ２７間に長尺ベルトサンディング２８が掛け回され、さらに後車輪２ｂが取り付けられる。
この手動式の表面改良装置１によれば、ガイド部２１及び車輪２ｂが取り付けられて、単位板材が配設されて形成されるデッキ間隙１０６にガイド部２１が挿入配置されると共に小プーリ２７と車輪２ｂとによって表面改良装置１がデッキ上に走行可能に支持される。
【００３６】
作業者２９はガイド部２１によって進行方向が規制された状態で、デッキ上を表面改良装置１を進行させることによって小プーリ２７を通過する長尺ベルトサンディング２８によってデッキ面の粗面化を行うことができる。
その場合に、長尺ベルトサンディング２８のデッキ面に対する付勢機構を構成する大プーリ２６と小プーリ２７との径の差によって作業者２９によって加えられる力は増幅されて小プーリ２７においてデッキ面に集中され、長尺ベルトサンディング２８を介してデッキ面の粗面化を効率よく行うことができる。
この実施の形態の表面改良装置１によれば図１０に示す一般家屋のガーデンデッキ１０３の表面の改良作業を一般家屋において簡易に行うことができる。
【図面の簡単な説明】
【００３７】
【図１】本発明の一実施の形態の表面改良装置の分解斜視図である。
【図２】同上の一部切り欠き側面図である。
【図３】同上の要部の模式図である。
【図４】同上の要部の他の模式図である。
【図５】本発明の他の実施の形態の表面改良装置の要部の斜視図である。
【図６】本発明の更に他の実施の形態の表面改良装置の（ａ）は正面図であり、（ｂ）は平面図である。
【図７】本発明の別の実施の形態の表面改良装置の側面模式図である。
【図８】木質様製品を用いた各種の施設におけるデッキの一例を示す斜視図である。
【図９】木質様製品を用いた各種の施設におけるデッキの他の例を示す斜視図である。
【図１０】木質様製品を用いた各種の施設におけるデッキの別の例を示す斜視図である。
【図１１】各種の施設におけるデッキの構成を示す断面図である。
【符号の説明】
【００３８】
６・・・フレーム、２・・・車輪、４・・・表面改良装置本体、７・・・モータ、８・・・小プーリ、１０・・・ベルト、９・・・中間プーリ、１１・・・大プーリ、３ａ・・・凹凸面回転ローラ、５・・・ハンドル、１０１・・・単位板材、１０６・・・デッキ間隙、２１・・・ガイド部、２７・・・小プーリ、２８・・・長尺ベルトサンディング。
【図１】
2008307766.tif 000003
【図２】
2008307766.tif 000004
【図３】
2008307766.tif 000005
【図４】
2008307766.tif 000006
【図５】
2008307766.tif 000007
【図６】
2008307766.tif 000008
【図７】
2008307766.tif 000009
【図８】
2008307766.tif 000010
【図９】
2008307766.tif 000011
【図１０】
2008307766.tif 000012
【図１１】
2008307766.tif 000013